(57)【要約】フレーム開口部（２０１）を有するリアフレーム（２００）を備えるハウジング（１０）と、内壁（４０）と、を備える、揮発性組成物ディスペンサ（１）が存在する。押しボタン（２０）は、フレーム開口部（２０１）及び内壁（４０）内に移動可能に配設されており、内壁（４０）に対して、第１の位置から第２の位置まで移動可能となるように構成されており、押しボタン（２０）は、第２の位置にある内壁（４０）と相互ロックする。
2019513494.tif 000002
【特許請求の範囲】
【請求項１】
揮発性組成物ディスペンサ（１）であって、
ａ）リアフレーム（２００）を備えるハウジング（１０）であって、前記リアフレーム（２００）が、長手方向軸（１０００）を有するフレーム開口部（２０１）を備える、ハウジング（１０）と、
ｂ）前記開口部（２０１）内の内壁（４０）であって、前記開口部（２０１）の外縁（２０７）の近位端部（４１）及び遠位端部（４２）を備える、内壁（４０）と、
ｃ）前記フレーム開口部（２０１）内において、前記内壁（４０）の前記遠位端部（４２）に対して第１の位置から第２の位置まで移動可能となるように構成されている押しボタン（２０）であって、ボタン本体（２２）を備える、押しボタン（２０）と、
ｄ）前記内壁（４０）の前記遠位端部（４２）に位置している少なくとも１つの第１の突起部（５１）と、
ｅ）前記ボタン本体（２２）上に配設されている少なくとも１つの第２の突起部（５２）であって、前記ボタン（２０）が前記第１の位置から前記第２の位置まで移動されるにつれて、前記第２の突起部（５２）が、前記第１の突起部（５１）と係合して、かつ前記第１の突起部（５１）を越えて移動するように整列されている、少なくとも１つの前記第２の突起部（５２）と、
ｆ）前記押しボタン（２０）に隣接して前記ハウジング（１０）内に配設されている揮発性組成物カートリッジ（３０）と、
を備える、揮発性組成物ディスペンサ（１）。
【請求項２】
前記ボタン本体（２２）上の前記第２の突起部（５２）の基部（５２１）と、前記内壁（４０）上の前記第１の突起部（５１）の基部（５１１）との間に間隙（６０）を更に備え、前記間隙（６０）が、前記内壁（４０）に対する前記第１の突起部（５１）の深さ（Ｄ１）と、前記ボタン本体（２２）に対する前記第２の突起部（５２）の深さ（Ｄ２）との合計よりも小さな間隙幅（Ｗ１）を備える、請求項１に記載の揮発性組成物ディスペンサ（１）。
【請求項３】
前記第１の突起部（５１）及び前記第２の突起部（５２）の一方が、
前記第１の突起部（５１）及び前記第２の突起部（５２）の他方と係合するための第１の表面（５１２、５２２）と、
前記第１の表面（５１２、５２２）に対向する第２の表面（５１３、５２３）と、
を備え、
前記内壁（４０）又はボタン本体（２２）に対する前記第１の表面（５１２、５２２）の角度（５１５、５２５）が、前記内壁（４０）又はボタン本体（２２）に対する前記第２の表面（５１３、５２３）の角度（５１６、５２６）よりも大きい、
請求項１又は２に記載の揮発性組成物ディスペンサ（１）。
【請求項４】
前記第２の表面（５１３、５２３）の前記角度（５１６、５２６）が、前記内壁（４０）又は前記ボタン本体（２２）に対して、３０度よりも大きくかつ９０度以下となる、請求項３に記載の揮発性組成物ディスペンサ（１）。
【請求項５】
前記第１の突起部（５１）及び前記第２の突起部（５２）の一方が、前記内壁（４０）又は前記ボタン本体（２２）の周辺に円周方向に延在している連続リップである、請求項１〜４のいずれか一項に記載の揮発性組成物ディスペンサ（１）。
【請求項６】
前記ボタン本体（２２）及び前記内壁（４０）が、実質的に円筒形であり、前記ディスペンサが、
前記内壁（４０）上に、円周方向に離間されている複数の第１の突起部（５１）と、
前記ボタン本体（２２）上に、円周方向に離間されている複数の第２の突起部（５２）と、
を備える、請求項１〜６のいずれか一項に記載の揮発性組成物ディスペンサ（１）。
【請求項７】
前記複数の第１の突起部（５１）及び第２の突起部（５２）のうちの少なくとも一方が、略細長く、前記フレーム開口部（２０１）の前記長手方向軸（１０００）に平行な方向に延在している、請求項８に記載の揮発性組成物ディスペンサ（１）。
【請求項８】
前記第２の突起部（５２）の各々が、長さ（Ｌ２）を含み、前記第１の突起部（５１）の各々が、長さ（Ｌ３）を含み、Ｌ２及びＬ３の各々が、前記ボタン（２０）の長さ（Ｌ４）の７％〜２０％の範囲にあり、Ｌ２が、Ｌ３よりも大きい、請求項９に記載の揮発性組成物ディスペンサ（１）。
【請求項９】
Ｌ３が、Ｌ２の１％〜５５％の範囲にある、請求項１０に記載の揮発性組成物ディスペンサ（１）。
【請求項１０】
前記ボタン本体（２２）上に配設されているカムガイド（８０）と、前記内壁４０上に配置されており、かつ前記カムガイド（８０）と整列されている少なくとも１つの突起部（５１）と、を更に備える、請求項１〜９のいずれか一項に記載の揮発性組成物ディスペンサ（１）。
【請求項１１】
前記ボタン（２０）が、前記第１の位置から前記第２の位置まで移動されるにつれて、前記第２の突起部（５２）が、クリック音を生じるように構成されている前記ボタン（２０）の可撓性壁部（２５）上に配設されている、請求項１〜１０のいずれかに記載の揮発性組成物ディスペンサ（１）。
【請求項１２】
前記リアフレーム（２００）に取り付けられるように構成されて、前記カートリッジ（３０）を支持するための前記ハウジング（１０）を形成するフロントカバー（１００）を更に備える、請求項１〜１１のいずれかに記載の揮発性組成物ディスペンサ（１）。
【請求項１３】
揮発性組成物ディスペンサのためのハウジングを組み立てる方法であって、
リアフレーム（２００）、及びハウジング（１０）内に配設されている揮発性組成物カートリッジ（３０）を備える前記ハウジング（１０）を設ける工程であって、前記リアフレーム（２００）が、長手方向軸（１０００）を有するフレーム開口部（２０１）を備える、工程と、
前記開口部（２０１）内に内壁（４０）を設ける工程であって、前記内壁（４０）が、近位端部（４１）及び遠位端部（４２）を備え、少なくとも１つの第１の突起部（５１）が、前記内壁（４０）の前記遠位端部（４２）に位置付けられている、工程と、
前記フレーム開口部（２０１）内にボタン（２０）を設ける工程であって、前記ボタンが、前記内壁（４０）の前記遠位端部（４２）に対して、第１の位置から第２の位置まで移動可能であり、前記ボタン（２０）は、ボタン本体（２２）と、前記ボタンを押下すると、前記ボタン本体（２２）上の前記第２の突起部（５２）を、前記内壁（４０）上の前記第１の突起部（５１）と係合させて、かつこれを越えて移動させるために、前記ボタン本体（２２）上に配設されている、少なくとも１つの第２の突起部（５２）と、を備える、工程と
を含む、方法。
【請求項１４】
揮発性組成物ディスペンサのハウジング（１０）内に押しボタン（２０）をロックする方法であって、
リアフレーム（２００）、及びハウジング（１０）内に配設されている揮発性組成物カートリッジ（３０）を備える前記ハウジング（１０）を設ける工程であって、前記リアフレーム（２００）が、長手方向軸（１０００）を有するフレーム開口部（２０１）を備える、工程と、
前記開口部（２０１）内に内壁（４０）を設ける工程であって、前記内壁（４０）が、近位端部（４１）及び遠位端部（４２）を備え、少なくとも１つの第１の突起部（５１）が、前記内壁（４０）の前記遠位端部（４２）に配置されている、工程と、
前記フレーム開口部（２０１）内で押しボタン（２０）を移動させる工程であって、前記ボタン（２０）が、ボタン本体（２２）、及び前記ボタン本体（２２）上に配設されている少なくとも１つの第２の突起部（５２）を備える、工程と、
前記ボタン本体（２２）上に配設されている前記少なくとも１つの第２の突起部（５２）を、前記内壁（４０）上の前記第１の突起部（５１）と係合させて、かつ前記第１の突起部（５１）を越えて移動させる、工程と、
を含む、方法。
【請求項１５】
前記押しボタン（２０）を移動させる工程が、前記長手方向軸（１０００）に沿った前記押しボタン（２０）の軸方向移動、及び前記長手方向軸（１０００）まわりの前記ボタン（２０）の回転を含む、請求項１４に記載の方法。
【発明の詳細な説明】
【技術分野】
【０００１】
本発明は、揮発性組成物を送達するためのデバイス及びシステムの分野に関し、特に、ロック可能な押しボタンを備える揮発性組成物ディスペンサ、及び揮発性組成物ディスペンサのハウジング内の押しボタンをロックする方法に関する。
【背景技術】
【０００２】
大気に揮発性物質を配達するためのシステムは、当分野で周知であり、例えば、防虫剤、エアフレッシュナ、悪臭除去剤が挙げられる。このようなシステムは、透過性膜などの媒体から空間へと揮発性物質を蒸発させることにより機能して、空気のフレッシュ化若しくは悪臭除去、又はそれらの組み合わせなどのさまざまな有益性をもたらす。通常、揮発性組成物は、空気に揮発性組成物を放出するために、開放されているか又は穴が空けられている密封容器に保管される。
【０００３】
ＰＣＴ国際公開第９８／１６２６２号（これ以降、「国際公開９８／１６２６２」）は、大気へのエアフレッシュナ組成物の分注を開始するための手動操作することができる押しボタンアクチュエータを有する使い捨て型エアフレッシュナディスペンサ装置を記載している。国際公開９８／１６２６２の装置は、容器内のエアフレッシュナ媒体を有しており、大気へのエアフレッシュナの分注を開始するために、容器を覆う箔を破裂させるよう手動操作することができる押しボタンアクチュエータを有する。このような装置に関連する問題は、ユーザ（消費者など）にとって、消費者がエアフレッシュナ組成物の臭いをかぐまで、エアフレッシュナ装置が起動したかどうかを判断するのが難しいという点である。その結果、消費者は、エアフレッシュナ組成物の臭いがしない場合、消費者は、装置が起動していないのか、又は正常に作動していないのかを考えることがあり、このことは、消費者の満足感の低下につながる。先行技術の装置の別の問題は、取り扱い中、若しくは小売店への配送中に、このような装置に不正が施されたか、又は意図せずして起動したかどうかを他のユーザ（小売店のオーナーなど）が検出するのは容易ではないということである。これにより、欠陥のあるエアフレッシュナ装置が販売のために店頭に並べられることがあり、これにより、消費者が欠陥のあるエアフレッシュナ装置を購入するときの、消費者が苦情をするのが避けられない。
【先行技術文献】
【特許文献】
【０００４】
【特許文献１】ＰＣＴ国際公開第９８／１６２６２号
【発明の概要】
【発明が解決しようとする課題】
【０００５】
したがって、手動操作することができ、かつ同時に信号をユーザに提示して装置の起動を表示する、揮発性物質を送達する装置が必要とされている。
【課題を解決するための手段】
【０００６】
上で特定されたニーズに対処するため、本発明は、揮発性組成物ディスペンサであって、
ａ）リアフレームを備えるハウジングであって、リアフレームが、長手方向軸を有するフレーム開口部を備える、ハウジングと、
ｂ）開口部内の内壁であって、開口部の外縁の近位端部及び遠位端部を備える、内壁と、
ｃ）フレーム開口部内において、内壁の遠位端部に対して、第１の位置から第２の位置まで移動可となるように構成されているボタンであって、ボタン本体を備える、ボタンと、
ｄ）内壁の遠位端部に位置している少なくとも１つの第１の突起部と、
ｅ）ボタン本体上に配設されている少なくとも１つの第２の突起部であって、第２の突起部は、ボタンが第１の位置から第２の位置まで移動するにつれて、第１の突起部と係合して、かつ第１の突起部を越えて移動するように整列されており、第２の突起部は、第１の位置までボタンが戻るのを防止するように、長手方向軸に平行な垂直方向に、内壁の遠位端部に対して第１の突起部の下に存在する、第２の突起部と、
ｆ）ボタンに隣接してハウジング内に配設されている揮発性組成物カートリッジと、を備える、揮発性組成物ディスペンサを提供する。
【０００７】
ボタンの起動後に、内壁上の第１の突起部に係合して、かつ第１の突起部を越えて移動するように構成されているボタン上に第２の突起部を有することにより、ボタン上の第２の突起部は、第１の位置に戻ることができないという利点がある。その結果、ボタンは押し込み位置で保持され、長手方向軸又は垂直方向に沿うボタンの位置の差異により、ユーザにディスペンサが起動したという視覚信号がもたらされる。
【図面の簡単な説明】
【０００８】
本明細書は、本発明を詳細に指摘し明確に特許請求する請求項をもって結論とするが、本発明は、添付の図面と併せてなされる以下の説明から、よりよく理解されると考えられる。
【図１】実施形態による揮発性組成物ディスペンサの前方斜視図である。
【図２】図１に示されている揮発性組成物ディスペンサの後方斜視図である。
【図３】図１に示されている揮発性組成物ディスペンサの側面分解斜視図である。
【図４】切断線Ａ−Ａにおける、図３のリアフレームの側面断面図である、
【図５】実施形態による揮発性組成物ディスペンサ用のボタンの前方図である。
【図６Ａ】図４のリアフレーム内の図５のボタンの移動を図示した概略図である。
【図６Ｂ】図４のリアフレーム内の図５のボタンの移動を図示した概略図である。
【図６Ｃ】図４のリアフレーム内の図５のボタンの移動を図示した概略図である。
【図７】ディスペンサに関する第１及び第２の突起部の異なる形状構成を示す概略図である。
【図８】ディスペンサに関する第１及び第２の突起部の異なる形状構成を示す概略図である。
【図９】ディスペンサに関する第１及び第２の突起部の異なる形状構成を示す概略図である。
【図１０】実施形態による揮発性組成物ディスペンサに関するボタンの斜視図である。
【図１１】ディスペンサに関する第１及び第２の突起部の代替実施形態の概略図である。
【図１２】揮発性組成物ディスペンサに関するリアフレームの斜視図の一部である。
【図１３Ａ】揮発性組成物ディスペンサに関するボタンの斜視図である。
【図１３Ｂ】図１３Ａのボタンの底面図である。
【図１４Ａ】ボタンの移動を図示している図１２のリアフレーム内の図１３Ａのボタンの内部斜視図である。
【図１４Ｂ】ボタンの移動を図示している図１２のリアフレーム内の図１３Ａのボタンの内部斜視図である。
【図１４Ｃ】ボタンの移動を図示している図１２のリアフレーム内の図１３Ａのボタンの内部斜視図である。
【図１５】図１４Ａ中で示されているリアフレーム内のボタンの後方図である。
【図１６Ａ】図１５のボタンの詳細な後方図である。
【図１６Ｂ】第２の位置にあるボタンの詳細な後方図である。
【図１７Ａ】起動前の第１の位置にボタンがある揮発性組成物ディスペンサの後方斜視図である。
【図１７Ｂ】起動後の第２の位置にある、図１７Ａのボタンの後方斜視図である。
【図１８Ａ】起動前の第１の位置にあるリアフレーム内の開口部の外縁よりも上に位置するボタンがある揮発性組成物ディスペンサの後方斜視図である。
【図１８Ｂ】起動後の第２の位置にある、図１８Ａのボタンの後方斜視図である。
【発明を実施するための形態】
【０００９】
本発明は、大気への揮発性物質を送達するための揮発性組成物ディスペンサに関する。本ディスペンサは、フレグランス、エアフレッシュナ、防臭剤、消臭剤、悪臭中和剤、殺虫剤、防虫剤、医療物質、消毒剤、清浄剤、気分向上剤、アロマテラピー助剤を供給する目的、或いは大気若しくは環境の状態を整える、修正する、又はそうでない場合、変更するよう作用する揮発性物質又は揮発性組成物を使用する別の任意の目的に好適である。本発明を詳細に例示する目的のためであるが、本発明の範囲を限定することを意図せずに、本発明は、香料、香料成分及び又は香料粗原料を含有する液体組成物を送達するための揮発性組成物ディスペンサにおいて記載される。
【００１０】
図１は、本発明による揮発性組成物ディスペンサ１（これ以降「ディスペンサ」）の前方斜視図を示し、図２は、ディスペンサ１の後方斜視図を示している。ディスペンサ１は、フロントカバー１００及びリアフレーム２００を有するハウジング１０を備え、フロントカバー１００及びリアフレーム２００は、内部空間を画定している。リアフレーム２００は、リアフレーム２００の中央に実質的に位置しているフレーム開口部２０１（これ以降「開口部」）が設けられている。押しボタン２０（これ以降「ボタン」）は、開口部２０１内部に配設されており、ディスペンサ１をユーザが起動するのを可能にするリアフレーム２００に対して移動可能である。揮発性組成物３１を含有するカートリッジ３０は、ハウジング１０内に位置している。
【００１１】
図３は、ディスペンサ１の内部構成要素を示している。フロントカバー１００は、カートリッジ３０を表示するように構成されているウインドウ１０１を備えている。カートリッジ３０は、オリフィス３２１を有する容器３２を備えており、その内部に、揮発性組成物３１（図１に示されている）が保管されている。破裂可能な基材３３は、ディスペンサ１が起動するまで、揮発性組成物３１は放出されるのを防止するために、リザーバを画定するオリフィス３２１にシール可能に取り付けられて、オリフィス３２１を覆っている。破裂可能な基材３３は、破裂されて、破裂可能な基材３３に隣接して位置している破裂機構３４を作動することにより、揮発性組成物３１を放出することができる。この破裂機構３４は、弾性部材３８によって外部フレーム３６に移動可能に取り付けられた可動部材３５を備える。弾性部材３８は、１つ又は複数のばね３８から形成することができる。１つ又は複数の破裂要素３７は、破裂可能な基材３３に穴を空けるための破裂機構３４の内部に配設されている。破裂要素３７は、ピンであってもよい。カートリッジ３０は、カートリッジ３０の外部に位置している膜３９を備えてもよい。膜３９は、容器３２の外縁３２３に位置しているフランジ３２２にシール可能に取り付けられ得る。膜３９は、容器３２、揮発性組成物３１、破裂可能な基材３３、及び破裂機構３４を取り囲んでいる。膜３９は、圧力又は作動力が膜３９に適用されると、屈曲するように構成され得る。
【００１２】
ディスペンサ１を起動するために、ユーザは、ボタン２０が破裂機構３４（膜３９から）に接触するようになるまで、ボタン２０を押し込み、破裂機構３４上のピン３７が、破裂可能な基材３３を貫通する。破裂可能な基材３３に一旦、貫通されると、揮発性組成物３１は、容器３２から流れ出して膜３９を濡らし、次に、膜３９からの蒸発により、大気周囲に送達される。
【００１３】
本発明の実施形態によれば、ボタン２０及びリアフレーム２００は、ディスペンサ１を作動するために、ユーザに触覚的及び直感的なユーザ経験を更にもたらすと同時に、カートリッジ３０中の破裂可能な基材３３を効率的なかつ制御された破裂を可能とするように構成されている。
【００１４】
図４は、リアフレーム２００の側面断面図Ａ−Ａを示している。内壁４０は、開口部２０１の外縁２０７に設けられており、リアフレーム２００の内部からハウジング１０まで延在している。内壁４０は、開口部２０１の外縁２０７と同一平面の遠位端部４１、及びハウジング１０に突き出ている遠位端部４２を有する。図４に示されている実施形態では、内壁４０は、中実及び筒状の形状である。しかしながら、内壁４０は、例えば、正方形断面又は長方形断面などの、いくつかの他の形状をとってもよい。内壁４０は、実質的に円筒形であってもよく、連続壁、又は例えば格子構造若しくは複数の互いに連結した細長い支柱などのセグメント化された壁を備える。内壁４０は、開口部２０１の中央からつながる中央長手方向軸１０００を備えるハウジング１０内への開口部２０１の延在を画定することができ、開口部２０１に沿って、ボタン２０を押し込むことができる。代替的に、内壁４０がハウジング１０からの開口部２０１の延在を画定するように、内壁４０がハウジング１０から突出していてもよい。したがって、遠位端部４２は、開口部２０１の外縁２０７と同一平面にあってもよく、近位端部４１は、ハウジング１０から突出していてもよい。
【００１５】
図５は、リアフレーム２００の開口部２０１と嵌合し、その内部を動くように構成されているボタン２０の前方断面図である。ボタン２０は、上部２１、及び上部２１からハウジング１０内に延在するボタン本体２２を備えている。実施形態では、上部２１は、ボタン２０が「静止時」位置にあるとき、開口部２０１の外縁２０７と一直線で位置している（例えば、図１４Ａを参照されたい）。代替的に、ボタン２０の上部２１は、「静止時」のとき、開口部２０１から突出してもよい（例えば、図１５Ａを参照されたい）。ボタン本体２２は、内壁４０と実質的に平行して延在する。したがって、ボタン本体２２はまた、筒状形状を有していてもよい。１つ又は複数の突起部５０は、ボタン本体２２から延在して、ボタン２０を内壁４０に組み立てるためのスナップ嵌合を画定する。
【００１６】
更に、ディスペンサ１は、ディスペンサ１の起動後、リアフレーム２００に対して、ボタン２０の動きを防止するための、相互ロック機構を備えている。例えば、相互ロック機構は、スナップ嵌合又は相互ロック継ぎ手を備えてもよい。実施形態では、相互ロック機構は、ボタン２０上のホック又は突起部などの、ボタン２０又は内壁４０と一体化した構造的特徴を備えることができ、このボタン２０は、ボタンを押し込んだ後、内壁４０にボタン２０をロックするため、内壁４０内において、対応する、逃げ溝、戻り止め、突起部、又は開口部と係合する。このように、ボタン２０は、相互ロック機構又は継ぎ手の強制的な不具合がない場合、起動後位置から開放され得ない。
【００１７】
相互ロック機構は、互いに整列された、内壁４０の各々の上に位置している少なくとも１つの突起部５１、５２及びボタン本体２２を備えることができ、その結果、それらは、ボタン２０が押し込まれると、接触するようになる。図４に示されているとおり、第１の突起部５１は、内壁４０の遠位端部４２に位置し得る。図５に示されているとおり、第２の突起部５２は、ボタン本体２２の遠位端部２３の近傍に位置し得る。第１の突起部５１及び第２の突起部５２は、略細長くてもよく、開口部２０１の長手方向軸１０００に平行な方向に延在している。
【００１８】
図６Ａは、リアフレーム２００内に装着されている、「静止時」位置にあるボタン２０の概略図である。図６Ｂ及び６Ｃは、「静止時」位置から起動後位置までの間でのボタン２０の移動を図示した概略図である。ボタン２０は、ボタン２０が押し込まれると、リアフレーム２００、すなわちフレーム開口部２０１の長手方向軸１０００に略平行な方向に動くストレート押しボタンに対して直線的に移動するように構成されている。内壁４０に対してボタン２０の配設及び移動をよりよく例示するために、内壁４０及びボタン本体２２だけが示されている。
【００１９】
第１及び第２の突起部５１、５２は、ボタン本体２２と内壁４０との間の間隙６０内に配設されており、フレーム開口部２０１の長手方向軸１０００に略平行な面において、互いに係合するように整列されている。間隙６０のサイズは、ボタン本体２２の長手方向（長さ）に沿って、均一及び一定とすることができる。間隙６０は、第１及び第２の突起部５１、５２のそれぞれの基部５１１、５２１の間に、第１の間隙幅（Ｗ１）を備えることができる。具体的には、Ｗ１は、内壁４０に対して第１の突起部５１の深さ（Ｄ１）とボタン本体２２に対して第２の突起部５２の深さ（Ｄ２）との合計よりも小さく、以下の式：
Ｗ１＜Ｄ１＋Ｄ２
によって表すことができる。
【００２０】
第１の間隙幅Ｗ１は、リアフレーム２００内のボタン２０をロックする前にボタン２０の自由な移動を可能にすると同時に、第１及び第２の突起部５１、５２が係合するのを可能にするように構成されている。第１の突起部５１の突起部深さＤ１は、内壁４０の幅Ｗ２の１％〜２％の範囲にあってもよい。第２の突起部５２の突起部深さＤ２は、ボタン本体２２の幅Ｗ３の１％〜２％の範囲にあってもよい。第１の突起部５１の突起部深さＤ１及び第２の突起部５２の突起部深さＤ２が上記の範囲にあることの利点は、ディスペンサが起動したとの認識をユーザに提供する触覚フィードバックをユーザが受け取ることができることである。
【００２１】
図６Ａを参照すると、第１及び第２の突起部５１、５２の少なくとも１つは、その長さに沿って非対称であってもよく、第１の表面５１２、５２２は、第１及び第２の突起部５１、５２（静止位置にある場合）の他方に面しており、第２の表面５１３、５２３は、第１及び第２の突起部５１、５２の他方から離れて面している。実施形態では、図６Ａ中で示されているとおり、先端５１４は、第１の突起部５１の第１の表面５１２と第２の表面５１３との間に位置している。第２の突起部５２は、例えば、第１の突起部５１の第１の表面５１２と係合するための先端５２４に対して、対称形であってもよく又は実質的に対称形であってもよい。
【００２２】
静止位置（図６Ａ）では、第１及び第２の突起部５１、５２は、例えば、ボタン本体２２の遠位端部２３が内壁４０の遠位端部４２に近位となることができるなど、離間されている。ボタン２０の上に適用された力Ｆによってディスペンサ１が起動すると、ボタン２０が押し込まれ、ボタン２０が内壁４０に対して動くにつれて、第２の突起部５２の先端５２４と第１の突起部５１の第１の表面５１２とが係合することにより、第１及び第２の突起部５１、５２が接触するようになる（図６Ｂに示されている）。第１及び第２の突起部５１、５２は、（ボタン本体２２上の）第２の突起部５２が、内壁４０の遠位端部４２に対して近位になるまで、互いを越えて移動する（図６Ｃ中で示されている）。第２の突起部５２は、長手方向軸１０００に対して平行な垂直方向の、第１の突起部５１よりも下にあってもよい。代替的に、第１及び第２の突起部５１、５２の第２の表面５１３、５２３は、起動後位置では、互いに隣接することができる。
【００２３】
図７〜９は、ボタン３０を押し込むと、リアフレーム２００にボタン２０をロックするための第１及び第２の突起部５１、５２の形状の変形を示す概略図である。内壁４０又はボタン本体２２に対して、それぞれ、第１の表面５１２、５２２の角度５１５、５２５及び第２の表面５１３、５２３の角度５１６、５２６は、異なっていてもよい。
【００２４】
更に、例えば、図７に示されているとおり、内壁４０に対する第１の表面５１２の角度５１５は、内壁４０に対する第２の表面５１３の角度５１６よりも大きくてもよい。第１又は第２の突起部５１、５２の一方又は両方の第１の表面５１２、５２２の角度５１５、５２５は、８０°〜１５０°であってもよい一方、第１及び第２の突起部５１、５２の一方又は両方の第２の表面５１３、５２３の角度５１６、５２６は、５°〜８０°である。
【００２５】
第１の表面５１２、５２２の角度５１５、５２５に対して鈍角を設けることによって、２つの突起部５１、５２は、起動している間、互いにより容易に通過する一方、第２の表面５１３、５２３の角度５１６、５２６に対してより鋭角であることによって、突起部５１、５２が起動後に通過するのは困難となる。したがって、ボタン２０が一旦押し込まれると、突起部５１、５２は、互いを越えて移動し、ボタン２０は、その元の位置に戻るのを阻止される。
【００２６】
代替的に、図８に示されているとおり、突起部５１、５２のいずれか一方のみが、非対称（assymetrical）形を有していない一方、他の突起部５１、５２は、例えば丸みのある先端に対して、対称形又は実質的に対称形を有することができる。
【００２７】
更に、図９を参照すると、第１及び第２の突起部５１、５２の両方の少なくとも第２の表面５１３、５２３は、起動後に突起部５１、５２が一緒にロックするように、内壁４０及びボタン本体２２に対する、それぞれ対応する角度を有することができる。例えば、第１及び第２の突起部５１、５２の両方の第２の表面５１３、５２３の角度５１６、５２６は、９０°〜１５０°であってもよい。
【００２８】
第１の表面５１２、５２２及び第２の表面５１３、５２３の角度が異なると、第１及び第２の突起部５１、５２が互いを越えて移動した後の場所にくると、ボタン本体２２は屈曲して折れ、これにより、ユーザに明確な直感的信号（及び、好ましくは可聴クリック音）を提示する。
【００２９】
第１の突起部５１又は第２の突起部５２のどちらか一方の弾性特性に応じて、第１の突起部５１及び第２の突起部５２の１つは、第２の突起部５２が、図６Ｃに示されているとおり、第１の突起部５１を越えて移動し、第２の位置まで来るのが可能となるように曲がるように構成され得る。更に、ボタン２０の第２の突起部５２は、カートリッジ３０において、ユーザによってボタン２０に加えられる力を伝えて、破裂可能な基材３３を破裂するように、剛直に構成され得る。更に、第２の突起部５２は、第２の突起部５２が、第１の突起部５１を越えて移動した後に、第１の突起部５１に接触すると、クリック音を生じるように弾性となるように構成され得る。
【００３０】
図１０を参照すると、ボタン本体２２は、複数の可撓性壁部２５から形成され得、第２の突起部５２が可撓性壁部２５上に配設される。可撓性壁部２５は、第２の突起部５２に隣接しているボタン本体２２中に、チャネル２６を形成することにより屈曲するように構成されている。各チャネル２６は、長手方向軸１０００に実質的に平行な長さＬ１を含むことができ、起動が容易となるために、壁部２５が可撓性になるように構成され得る。少なくとも１つのチャネル２６は、実質的にＵ形状を画定することができる。可撓性壁部２５上に配設されている第２の突起部５２を有する別の利点は、第１の突起部５１及び第２の突起部５２上で、プラスチックの変形を回避することである。更に、ボタン２０を起動すると、可撓性壁部２５が屈曲して内壁４０に接触することによりクリック音が生じ、触覚による感覚がユーザにもたらされ、これにより、ディスペンサ１が起動していること表示すると同時に、可聴及び触覚信号を供給する。
【００３１】
図１１を参照すると、第１の突起部５１は、内壁４０の周囲の円周方向に延在する連続リップとすることができ、ボタン２０の第２の突起部５２は、第１の突起部５１と係合して、かつ第１の突起部５１を越えて移動するように整列されている。
【００３２】
図６Ａ〜６Ｃに示されているとおり、突起部５１、５２は、リアフレーム内のストレート押しボタン用に構成されている。しかしながら、リアフレーム２００内のボタン２０の所望の作動に応じて、ロック可能なボタンを可能にする第１の突起部５１及び第２の突起部５２の代替的な設計及び配設も構成され得ることが理解されよう。このような代替設計は、図１２を参照する以下の説明において、後ほど記載する。
【００３３】
図１２は、図３のリアフレーム２００の斜視図であり（一部が示されている）、図１３Ａはボタン２０の斜視図であり、図１３Ｂは、ボタン２０の底面図である。第１の突起部５１又は第２の突起部５２は、略細長くてもよく、フレーム開口部２０１の長手方向軸２０００に平行な方向に延在している。第２の突起部５２の各々は、長さＬ２を含むことができ、第１の突起部５１の各々は、長さＬ３を含むことができる。長さＬ２及びＬ３の各々は、ボタン２０の長さ（Ｌ４）の７％〜２０％の範囲にあることができる。
【００３４】
１つ又は複数の第２の突起部５２は、ボタン２０が回転している間、１つ又は複数の第１の突起部５１と係合するためのカムガイド８０上に配設され得る。第１の突起部５１は、内壁４０の遠位端部４２に配設されており、第１の突起部５１は、ボタン本体２２のカムガイド８０を係合するように整列されている。カムガイド８０は、ボタン本体２２上に形成されている複数の第１のカムトラック８４を備えてもよい。第１のカムトラック８４は、内壁４０の遠位端部４２上に、第１の突起部５１を係合するため、ボタン本体２２上で、半径方向に離間されている。カムガイド８０は、第１のカムトラック８４の中間に、複数の第２のカムトラック８５を更に備えてもよい。
【００３５】
カムガイド８０のカム角αは、所望のボタンストロークＳ（ｍｍ）、並びに長手方向軸１０００及び／又は円筒軸２０００まわりのボタン２０の回転角度βが得られるように構成され得る（図１７Ｂに示されている）。所望のボタンストロークは、破裂機構３４の破裂要素３７が基材３３に穴を空けるために、開口部２０１の長手方向軸１０００に沿うボタン２０が移動する距離とすることができる。
【００３６】
長手方向軸１０００に軸方向に沿ってボタン２０を動かすように、及び時計回り又は反時計回りに長手方向軸１０００のまわりを回転するように協働する、カムガイド８０及び第１の突起部５１を有することにより、ボタン２０の上部２１は、図１７Ａ及び１７Ｂに示されているとおり、リアフレーム２００に対して異なる配向を有していてもよい。
【００３７】
具体的には、第２のカムトラック８５は、ボタン本体２２から径の外側方向に延在し、かつボタン本体２２上に円周方向に離間されており、内壁４０内のボタン２０の挿入時に、内壁４０上に形成されたかみ合いカムトラック（mating cam track）８６と係合するように配設されている。実施形態では、各第２のカムトラック８５及びかみ合いカムトラック８６は、長手方向軸１０００まわりのボタン２０の回転、及び長手方向軸１０００に沿ったボタン２０の軸方向移動のための連続カムプロファイルを画定するように、形状又はプロファイルの点で、第１の工程８４に対応するように構成され得る。
【００３８】
更に、第２のカムトラック８５及びかみ合いカムトラック８６は、ボタン２０が、内壁４０の遠位端部４２に対して、ある高さでフレーム２００内にボタン２０が配設されるのを可能にするように構成され得る。高さは、組み立て時に、ボタン２０が、第１の位置において、開口部２０１の外縁２０７と同一平面にあるか（図１７Ａに示されている）、又は第１の位置において、開口部２０１の外縁２０７の上まで延在している（図１８Ａに示されている）かのいずれかとなるように、さまざまとすることができる。
【００３９】
図１７Ａ、１７Ｂ、１８Ａ、１８Ｂに示されているような実施形態では、印９０は、ボタン２０の上部２１の上に配設されて、信号をディスペンサ１のユーザに供給することができる。例えば、図１７Ａを参照すると、印９０は、第１の位置における開口部の外縁に対する１つの配向、及び第２の位置における異なる配向で、ボタン２０を示す時計の針のような図形表示を含むことができる。代替的に、図１８Ａを参照すると、印９０は、ボタン２０を作動する又はディスペンサ１を起動するための位置を表示する図形記号とすることができる。
【００４０】
図１４Ａは、リアフレーム２００内に装着されている、「静止時」位置にあるボタン２０の斜視図の一部である。図１４Ｂ及び１４Ｃは、「静止時」位置から起動後位置までの間でのボタン２０の移動を図示した断面図である。
【００４１】
図１４Ａにおいて、ボタン２０に力が適用されていないので、ボタン２０は静止位置（「第１の位置」）にある。第１の位置では、第１の突起部５１（破線で示されている）は、カムガイド８０（ボタン本体２２上の破線）に係合しており、ボタン２０の遠位端部２３と整列されている。ディスペンサを起動すると、ボタン２０はハウジング（１０）に向かって動き、第１の突起部５１及びカムガイド８０はボタン２０の移動全体と係合（図１４Ｂに示されている）しているので、ボタン２０は、ボタン２０の遠位端部２３が図１のハウジング１０内に延在して、内壁４０の遠位端部４２から離間され、かつそれよりも下になるまで、回転して長手方向軸１０００に沿って軸方向に動く（図１４Ｃに示されている）。実施形態では、ボタン２０の遠位端部２３は、長手方向軸１０００に対して平行な垂直方向の、第１の突起部５１よりも下にあってもよい。ボタン２０が、図１４Ｃの起動後位置に維持されることを確実とするため、Ｌ２は、Ｌ３よりも大きい。更に、Ｌ３は、Ｌ２の１％〜５５％の範囲にあってもよい。
【００４２】
図１５は、ボタン２０が、起動前の静止位置にあるときの、第１の突起部５１及び第２の突起部５２の内部断面図であり、図１４Ａに相当する。図１６Ａは、図１５の詳細図であり、図１６Ｂは、ボタン２０が起動後の起動後位置にあるときの、第１の突起部５１及び第２の突起部５２を示している。ボタン２０は、リアフレーム２００に対して、長手方向軸１０００に沿って軸方向に移動可能となり、かつ長手方向軸１０００のまわりを回転可能となるように構成されているので、第１及び第２の突起部５１、５２は、長手方向軸１０００から径方向及び軸方向に離間され得、起動すると、ボタン２０をロックすることを可能にするように、ボタン本体２２と内壁４０との間の間隙６０内に配設されている。
【００４３】
図１５に示されているとおり、ボタン本体２２は、リアフレーム開口部２０１内のボタン２０のスライド移動が可能となるために、内壁４０の段差の付いた内部表面４０１とかみ合うように構成されている段差の付いた外部表面２２１を備えており、間隙６０内に、第１の間隙幅Ｗ１及び第２の間隙幅Ｗ４を含めた、可変性間隙幅を形成するように配設されている。図１５及び図１６Ａ中で示されている第１の位置では、第２の突起部５２は、第１の突起部５１から径方向に離間されており、長手方向軸１０００の周りの径方向１１００に、第１の突起部５１と係合して、かつ第１の突起部５１を越えて移動するように整列されている。
【００４４】
内壁４０上の第１の突起部５１の数とボタン２０上の第２の突起部５２の数は等しくすることができ、ボタン本体２２の直径又は幅に応じて、さまざまなとなる。一例では、図１５に示されているなど、３つの第１の突起部５１は、内壁４０上に配設され、かつ円周方向に離間されており、対応する数の第２の突起部５２は、ボタン本体２２上に配設され、かつ円周方向に離間されている。実施形態では、ディスペンサ１は、静止位置において、ボタン２０が自由に動くのを防止するために、間隙６０内に配設されている第３の突起部５３を更に備えてもよい。第３の突起部５３は、図１５Ｂに示されているとおり、第１の突起部５１と一体化されていてもよい。
【００４５】
示されている実施形態では、内壁４０、第１の突起部５１及びフレーム２００は、一体型ユニットに成形されて形成することができ、製造を容易にするためプラスチックを含んでもよい。同様に、第２の突起部５２、カムガイド８０及びボタン２０はまた、一体型プラスチック構成要素に成形されて、形成することができる。代替的に、ボタン２０、並びにフレーム２００及び第１及び第２の突起部５１、５２は、ばね鋼などの、シート状金属を含んでもよく、一体型金属構成要素を形成するように、型抜き又は圧延されてもよい。
【００４６】
揮発性組成物ディスペンサ１は、ユーザの手に人間工学的に調和するように、又は使用を容易にするように、コンピュータマウスに類似する形状因子などの小さな形状因子を備えることができる。実施形態では、内壁４０、ボタン２０、第１及び第２の突起部５１、並びにカムガイド８０の物理仕様は、図１７Ｂ中で示されているとおり、指定したボタンストロークＳ（ミリメートル）及び／又は長手方向軸１０００に対してボタン２０の指定した回転角度β（度）に基づいて構成され得る。図１２、１３Ａ及び１３Ｂを参照して、表１は４．２５ｍｍのボタンストロークＳ及び４２．５度の回転角度βに基づいて、内壁４０、ボタン２０、突起部５１、５２及びカムガイド８０の物理仕様を設定している。ボタンストロークＳと回転角度βとの間の相関関係Ｓ／βは、０．１ｍｍ／度とすることができる。したがって、本発明は、表１の物理仕様に限定されないことが、当業者により理解されよう。具体的には、物理仕様は、Ｓ／β＝０．１ｍｍ／度の相関関係を使用して、所望のボタンストローク又はボタンの回転角度に基づいて、修正されてもよい。更に、物理仕様は、１．３となるカム角αとボタンの回転角度βとの比を使用することにより修正することができる。
【００４７】
【表１】
2019513494.tif 000003
【００４８】
図３に示されているカートリッジ３０の内部構成要素は、以下のとおり特徴づけることができる。例えば、容器３２の寸法は、約１ｍｌ〜約５０ｍｌの液状揮発性組成物を保持するように構成され得る。代替的に、リザーバ５２は、約２ｍｌ〜約３０ｍｌ、代替的に約２ｍｌ〜約１０ｍｌ、代替的に約２ｍｌ〜約８ｍｌ、代替的に約４ｍｌ〜約６ｍｌ、代替的に約２ｍｌ、代替的に、約６ｍｌの液状揮発性組成物を保持することができる。更に、容器３２の形状は、フロントカバー１００の開口部１０１の形状に対応するように構成され得る。例えば、容器３２は、実質的に楕円又は長円形状を画定することができ、その幅対長さ比は、約１：２〜１：２．５とすることができる。
【００４９】
破裂可能な基材３３は、適用した力を用いて破裂する（そのような破裂の一助となる要素が存在しようと、存在しまいと）、任意の材料から作製され得る。破裂可能な基材３３は、保管中は、揮発性物質を収容するように意図され、それは、その所期使用前に、揮発性物質の蒸発を防止する任意のバリア物質から作製され得る。このような物質は、蒸気及び液体に対しては不透過性となり得る。破裂可能な基材３３に好適なバリア物質には、ポリマーフィルム、可撓性箔などの可撓性フィルム、又は箔／ポリマーフィルム積層体などの複合材料が挙げられる。好適な可撓性箔には、ニトロセルロース保護ラッカー、２０ミクロンのアルミホイル、ポリウレタンプライマー、及びＡｌｃａｎ  Ｐａｃｋａｇｉｎｇから入手可能な１５ｇ／ｍ２のポリエチレンコーティング剤（Ｌｉｄｆｏｉｌ  １１８−００９２）から構成される箔などの金属箔を含む。好適なポリマーフィルムには、ポリエチレンテレフタレート（ＰＥＴ）フィルム、アクリロニトリルコポリマーバリアフィルム（ＩＮＯＥＳによって商標名Ｂａｒｅｘ（登録商標）で販売されているものなど）、エチレンビニルアルコール、及びそれらの組み合わせが挙げられる。コーティングされたバリアフィルムは、破裂可能な基材３３として利用され得ることもまた企図される。使用され得る、そのようなコーティングされたバリアフィルムには、金属化ＰＥＴ、金属化ポリプロピレン、シリカ、又はアルミナコーティングされたフィルムが挙げられる。いずれのバリア物質も、コーティングされているかコーティングされていないかに関わらず、単独で、及び／又は他のバリア物質と組み合わせて使用されてもよい。
【００５０】
破裂要素３７は、成形に好適であることが知られている、ポリエチレン若しくはポリプロピレンなどのポリオレフィン、ポリエステル、又は他のプラスチックを使用して、射出成形、圧縮成形、又は加圧成形され得る。破裂要素１３０はまた、望ましくない部分を取り除くための別個の切断工程を伴って、熱成形によって作製されてもよい。
【００５１】
膜３９は、約０．０１〜約０．０６ミクロン、代替的に約０．０１〜約０．０５ミクロン、代替的に約０．０１〜約０．０４ミクロン、代替的に約０．０１〜約０．０３ミクロン、代替的に約０．０２〜約０．０４ミクロン、代替的に約０．０２ミクロンの平均細孔サイズを有することができる。更に、膜３９は、当分野において公知の任意の好適な充填剤及び可塑剤で充填されてもよい。充填剤としては、微粉砕シリカ、クレイ、ゼオライト、カーボネート、活性炭、及びこれらの混合物を挙げることができる。微多孔膜３９は、総重量を基準として、約５０〜約８０％、代替的に約６０％〜約８０％、代替的に約７０％〜約８０％、代替的に約７０％〜約７５％のシリカで充填され得る。膜３９の厚さは、約０．０１ｍｍ〜約１ｍｍ、代替的に約０．１ｍｍ〜約０．４ｍｍ、代替的に約０．１５ｍｍ〜約０．３５ｍｍ、代替的に約０．２５ｍｍの間とすることができる。
【００５２】
更に、微多孔膜３９の蒸発表面積は、約２ｃｍ２〜約１００ｃｍ２、代替的に約２ｃｍ２〜約２５ｃｍ２、代替的に約１０ｃｍ２〜約５０ｃｍ２、代替的に約１０ｃｍ２〜約４５ｃｍ２、代替的に約１０ｃｍ２〜約３５ｃｍ２、代替的に約１５ｃｍ２〜約４０ｃｍ２、代替的に約１５ｃｍ２〜約３５ｃｍ２、代替的に約２０ｃｍ２〜約３５ｃｍ２、代替的に約３０ｃｍ２〜約３５ｃｍ２、代替的に約３５ｃｍ２であってもよい。したがって、リアフレーム２００は、膜３９の蒸発表面積に適合するようなサイズ及び形状にすることができる。
【００５３】
本発明の好適な微多孔膜としては、米国特許第７，４９８，３６９号に記載されている、シリカを用いて場合により充填された、微多孔性、超高分子量ポリエチレン（ＵＨＭＷＰＥ）が挙げられる。このようなＵＨＭＷＰＥ微多孔膜としては、Ｄｒａｍｉｃから入手可能なＤａｒａｍｉｃ（商標）Ｖ５、ＤＳＭ（オランダ）から入手可能なＳｏｌｕｐｏｒ（登録商標）、及びＰＰＧ  Ｉｎｄｕｓｔｒｉｅｓから入手可能なＴｅｓｌｉｎ（商標）、並びにこれらの組み合わせが挙げられる。
【００５４】
揮発性組成物ディスペンサ１用のカートリッジ３０において使用するのに好適な揮発性物質又は組成物は、大気の状態を整える、修正する又はそうでない場合、変更するように構成され得、フレグランス、エアフレッシュナ、防臭剤、消臭剤、悪臭中和剤、殺虫剤、防虫剤、医療物質、消毒剤、清浄剤、気分向上剤及びアロマテラピー助剤を供給するために好適な組成物を含むことができる。好適な揮発性物質の一覧は、以下の表２に示されている。
【００５５】
【表２】
2019513494.tif 000004
【００５６】
本組成物は、本組成物が、揮発性物質の各々が２５℃において、約１．３Ｐａ（約０．０１ｔｏｒｒ）未満のＶＰを有する、総重量基準で、約１０％〜約１００％の揮発性物質、代替的に揮発性物質の各々が２５℃において、約１３Ｐａ（約０．１ｔｏｒｒ）未満のＶＰを有する、総重量基準で、約４０％〜約１００％の揮発性物質、代替的に揮発性物質の各々が２５℃において、約１３Ｐａ（約０．１ｔｏｒｒ）未満のＶＰを有する、総重量基準で、約５０％〜約１００％の揮発性物質、代替的に揮発性物質の各々が２５℃において、約４０Ｐａ（約０．３ｔｏｒｒ）未満のＶＰを有する、総重量基準で、約９０％〜約１００％の揮発性物質を含む揮発性物質混合物を含むように、配合され得る。揮発性物質混合物は、揮発性物質の各々が２５℃において、約０．５３３〜約１３Ｐａ（約０．００４ｔｏｒｒ〜約０．０３５ｔｏｒｒ）のＶＰを有する、総重量基準で、０％〜約１５％の揮発性物質、及び揮発性物質の各々が２５℃において、約１３Ｐａ〜約４３Ｐａ（約０．１ｔｏｒｒ〜約０．３２５ｔｏｒｒ）のＶＰを有する、総重量基準で、０％〜約２５％の揮発性物質、及び揮発性物質の各々が２５℃において、約４．６７Ｐａ〜約１３Ｐａ（０．０３５ｔｏｒｒ〜約０．１ｔｏｒｒ）のＶＰを有する、総重量基準で、約６５％〜約１００％の揮発性物質を含むことができる。揮発性物質の飽和蒸気圧を得る１つの情報源は、Ｕ．Ｓ．Ｅｎｖｉｒｏｎｍｅｎｔａｌ  Ｐｒｏｔｅｃｔｉｏｎ  Ａｇｅｎｃｙから入手可能なＥＰＩ  Ｓｕｉｔｅ（商標）、バージョン４．０である。
【００５７】
一例は、以下に示されている：
Ａ．揮発性組成物ディスペンサ（１）であって、
ａ）リアフレーム（２００）を備えるハウジング（１０）であって、リアフレーム（２００）が、長手方向軸（１０００）を有するフレーム開口部（２０１）を備える、ハウジング（１０）と、
ｂ）開口部（２０１）内の内壁（４０）であって、開口部（２０１）の外縁（２０７）の近位端部（４１）及び遠位端部（４２）を備える、内壁（４０）と、
ｃ）フレーム開口部（２０１）内において、内壁（４０）の遠位端部（４２）に対する第１の位置から第２の位置まで移動可能となるように構成されている押しボタン（２０）であって、ボタン本体（２２）を備える、押しボタン（２０）と、
ｄ）内壁（４０）の遠位端部（４２）に位置している少なくとも１つの第１の突起部（５１）と、
ｅ）ボタン本体（２２）上に配設されている少なくとも１つの第２の突起部（５２）であって、ボタン（２０）が第１の位置から第２の位置まで移動するにつれて、第２の突起部（５２）が、第１の突起部（５１）と係合して、かつ第１の突起部（５１）を越えて移動するように整列されている、第２の突起部（５２）と、
ｆ）押しボタン（２０）に隣接してハウジング（１０）内に配設されている揮発性組成物カートリッジ（３０）と、を備える、揮発性組成物ディスペンサ（１）。
Ｂ．ボタン本体（２２）上の第２の突起部（５２）の基部（５２１）と、内壁（４０）上の第１の突起部（５１）の基部（５１１）との間に間隙（６０）を更に備え、間隙（６０）が、内壁（４０）に対して、第１の突起部（５１）の深さ（Ｄ１）と、ボタン本体（２２）に対して、第２の突起部（５２）の深さ（Ｄ２）との合計よりも小さな間隙幅（Ｗ１）を備える、段落Ａに記載の揮発性組成物ディスペンサ（１）。
Ｃ．第１の突起部（５１）及び第２の突起部（５２）の一方が、
第１の突起部（５１）及び第２の突起部（５２）の他方と係合するための第１の表面（５１２、５２２）と、
第１の表面（５１２、５２２）に対向する第２の表面（５１３、５２３）と、を備え、
内壁（４０）又はボタン本体（２２）に対する第１の表面（５１２、５２２）の角度（５１５、５２５）が、内壁（４０）又はボタン本体（２２）に対する第２の表面（５１３、５２３）の角度（５１６、５２６）よりも大きい、段落Ａに記載の揮発性組成物ディスペンサ（１）。
Ｄ．第２の表面（５１３、５２３）の角度（５１６、５２６）が、内壁（４０）又はボタン本体（２２）に対して、３０度よりも大きく、かつ９０度以下となる、段落Ｃに記載の揮発性組成物ディスペンサ（１）。
Ｅ．Ｄ１が、内壁（４０）の幅Ｗ２の１％〜２％の範囲にある、段落Ｂに記載の揮発性組成物ディスペンサ（１）。
Ｆ．Ｄ２が、ボタン本体（２２）の幅Ｗ３の１％〜２％の範囲にある、段落Ｂに記載の揮発性組成物ディスペンサ（１）。
Ｇ．第１の突起部（５１）及び第２の突起部（５２）の一方が、内壁（４０）又はボタン本体（２２）の周辺に円周方向に延在している連続リップである、段落Ａに記載の揮発性組成物ディスペンサ（１）。
Ｈ．ボタン本体（２２）及び内壁（４０）が、実質的に円筒形であり、ディスペンサ（１）が、
内壁（４０）上に、円周方向に離間されている複数の第１の突起部（５１）と、
ボタン本体（２２）上に、円周方向に離間されている複数の第２の突起部（５２）と、を備える、段落Ａに記載の揮発性組成物ディスペンサ（１）。
Ｉ．複数の第１の突起部（５１）及び第２の突起部（５２）のうちの少なくとも一方が、略細長く、フレーム開口部（２０１）の長手方向軸（１０００）に平行な方向に延在している、段落Ｈに記載の揮発性組成物ディスペンサ（１）。
Ｊ．第２の突起部（５２）の各々が、長さ（Ｌ２）を含み、第１の突起部（５１）の各々が、長さ（Ｌ３）を含み、Ｌ２及びＬ３の各々が、ボタン（２０）の長さ（Ｌ４）の７％〜２０％の範囲にあり、Ｌ２がＬ３よりも大きい、段落Ｉに記載の揮発性組成物ディスペンサ（１）。
Ｋ．Ｌ３が、Ｌ２の１％〜５５％の範囲にある、段落Ｊに記載の揮発性組成物ディスペンサ（１）。
Ｌ．ボタン本体（２２）上に配設されているカムガイド（８０）と、内壁４０上に配置されており、かつカムガイド（８０）と整列されている少なくとも１つの突起部（５１）と、を更に備える、段落Ａに記載の揮発性組成物ディスペンサ（１）。
Ｍ．第１の突起部（５１）及びリアフレーム（２００）が、一体型ユニットを形成する、段落Ａに記載の揮発性組成物ディスペンサ（１）。
Ｎ．第２の突起部（５２）及びボタン（２０）が、一体型ユニットを形成する、段落Ａに記載の揮発性組成物ディスペンサ（１）。
Ｏ．第１の突起部（５１）及びリアフレーム（２００）、又は第２の突起部（５２）及びボタン（２０）が、プラスチックを含む、段落Ｍ又はＮに記載の揮発性組成物ディスペンサ（１）。
Ｐ．ボタン（２０）が、第１の位置から第２の位置まで動くにつれて、第２の突起部（５２）が、クリック音を生じるように構成されているボタン（２０）の可撓性壁部（２５）上に配設されている、段落Ａに記載の揮発性組成物ディスペンサ（１）。
Ｑ．リアフレーム（２００）に取り付けられるように構成されて、カートリッジ（３０）を支持するためのハウジング（１０）を形成するフロントカバー（１００）を更に備える、段落Ａに記載の揮発性組成物ディスペンサ（１）。
Ｒ．揮発性組成物ディスペンサのためにハウジングを組み立てる方法であって、
リアフレーム（２００）、及びハウジング（１０）内に配設される揮発性組成物カートリッジ（３０）を備えるハウジング（１０）を設ける工程であって、リアフレーム（２００）が、長手方向軸（１０００）を有するフレーム開口部（２０１）を備える、工程と、
開口部（２０１）内に内壁（４０）を設ける工程であって、内壁（４０）が、近位端部（４１）及び遠位端部（４２）を備え、少なくとも１つの第１の突起部（５１）が、内壁（４０）の遠位端部（４２）に位置付けられている、工程と、
フレーム開口部（２０１）内にボタン（２０）を設ける工程であって、ボタンが、内壁（４０）の遠位端部（４２）に対して、第１の位置から第２の位置まで移動可能であり、ボタン（２０）は、ボタン本体（２２）と、ボタンを押下すると、ボタン本体（２２）上の第２の突起部（５２）を、内壁（４０）上の第１の突起部（５１）と係合させて、かつ第１の突起部（５１）を越えて移動させるために、ボタン本体（２２）上に配設されている、少なくとも１つの第２の突起部（５２）と、を備える、工程とを含む、方法。
Ｓ．揮発性組成物ディスペンサのハウジング（１０）内に押しボタン（２０）をロックする方法であって、
リアフレーム（２００）、及びハウジング（１０）内に配設されている揮発性組成物カートリッジ（３０）を備えるハウジング（１０）を設ける工程であって、リアフレーム（２００）が、長手方向軸（１０００）を有するフレーム開口部（２０１）を備える、工程と、
開口部（２０１）内に内壁（４０）を設ける工程であって、内壁（４０）が、近位端部（４１）及び遠位端部（４２）を備え、少なくとも１つの第１の突起部（５１）が、内壁（４０）の遠位端部（４２）に位置付けられている、工程と、
フレーム開口部（２０１）内に押しボタン（２０）を移動させる工程であって、ボタン（２０）が、ボタン本体（２２）、及びボタン本体（２２）上に配設されている少なくとも１つの第２の突起部（５２）を備える、工程と、
ボタン本体（２２）上に配設されている少なくとも１つの第２の突起部（５２）を、内壁（４０）上の第１の突起部（５１）と係合させて、かつ第１の突起部（５１）を越えて移動させる、工程とを含む、方法。
Ｔ．押しボタン（２０）を移動させる工程が、長手方向軸（１０００）に沿った押しボタン（２０）の軸方向移動、及び長手方向軸（１０００）まわりのボタン（２０）の回転を含む、段落Ｓに記載の方法。
【００５８】
本明細書に開示した寸法及び値は、列挙された正確な数値に厳密に限定されるものと理解されるべきではない。むしろ、特に指示がないかぎり、そのような各寸法は、列挙された値及びその値の周辺の機能的に同等の範囲の両方を意味するものとする。例えば「４０ｍｍ」として開示される寸法は、「約４０ｍｍ」を意味するものとする。
【００５９】
相互参照される又は関連するすべての特許又は特許出願、及び本願が優先権又はその利益を主張する任意の特許出願又は特許を含む、本願に引用されるすべての文書は、除外又は限定することを明言しないかぎりにおいて、参照によりその全容が本願に援用される。いかなる文献の引用をも、本明細書中で開示又は特許請求される任意の発明に対する先行技術であるとはみなされず、或いはそれを単独で又は他の任意の参考文献（１つ又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【００６０】
本発明の特定の実施形態を例示及び説明してきたが、本発明の趣旨及び範囲から逸脱することなく他のさまざまな変更及び修正を行うことができる点は当業者には明白であろう。したがって、本発明の範囲内に含まれるそのようなすべての変更及び修正は、添付の特許請求の範囲にて網羅することを意図したものである。
【図１】
2019513494.tif 000005
【図２】
2019513494.tif 000006
【図３】
2019513494.tif 000007
【図４】
2019513494.tif 000008
【図５】
2019513494.tif 000009
【図６Ａ】
2019513494.tif 000010
【図６Ｂ】
2019513494.tif 000011
【図６Ｃ】
2019513494.tif 000012
【図７】
2019513494.tif 000013
【図８】
2019513494.tif 000014
【図９】
2019513494.tif 000015
【図１０】
2019513494.tif 000016
【図１１】
2019513494.tif 000017
【図１２】
2019513494.tif 000018
【図１３Ａ】
2019513494.tif 000019
【図１３Ｂ】
2019513494.tif 000020
【図１４Ａ】
2019513494.tif 000021
【図１４Ｂ】
2019513494.tif 000022
【図１４Ｃ】
2019513494.tif 000023
【図１５】
2019513494.tif 000024
【図１６Ａ】
2019513494.tif 000025
【図１６Ｂ】
2019513494.tif 000026
【図１７Ａ】
2019513494.tif 000027
【図１７Ｂ】
2019513494.tif 000028
【図１８Ａ】
2019513494.tif 000029
【図１８Ｂ】
2019513494.tif 000030
【国際調査報告】
2019513494.tif 000031
2019513494.tif 000032
2019513494.tif 000033